(57)【要約】【課題】レンズホルダのトラッキング方向の駆動感度の向上が可能な磁気駆動機構を備えた光ヘッド装置を提案すること。【解決手段】光ヘッド装置１において、トラッキング用駆動コイル９２、９３、９４、９５は、その一部が有効辺部分９２ａ、９３ａ、９４ａ、９５ａとしてトラッキング・フォーカシング用駆動マグネット９８、９９に対向している。トラッキング・フォーカシング用駆動マグネット９８、９９の両側位置、すなわち、トラッキング用駆動コイル９２、９３、９４、９５の無効辺部分９２ｂ、９３ｂ、９４ｂ、９５ｂに対向する位置には、トラッキング・フォーカシング用駆動マグネット９８、９９と直交する向きに配置されたフォーカシング・チルト用駆動マグネット９６、９７からの磁束を無効辺部分９２ｂ、９３ｂ、９４ｂ、９５ｂに導く補助ヨーク７４、７５、７６、７７が配置されている。【選択図】      図２
2004199776.tif 000002
【特許請求の範囲】
【請求項１】
光源からの出射光を光記録媒体に収束させる対物レンズを保持するレンズホルダと、該レンズホルダを少なくともトラッキング方向およびフォーカシング方向に移動可能に支持するホルダ支持部材と、前記レンズホルダの側に配置された複数の駆動コイルと、該駆動コイルに対向する位置に配置されて前記駆動コイルと複数の磁気駆動回路を構成する複数の駆動マグネットとを有する光ヘッド装置において、
前記複数の駆動コイルには、少なくともトラッキング用駆動コイルが含まれ、
前記複数の駆動マグネットには、前記トラッキング用駆動コイルに部分的に対向する第１の駆動マグネットと、該第１の駆動マグネットと異なる向きに配置されて前記トラッキング用駆動コイル以外の駆動コイルと対向する第２の駆動マグネットとが含まれ、
前記トラッキング用駆動コイルの前記第１の駆動マグネットと対向しない無効辺部分に対向する位置には、前記第２の駆動マグネットからの磁束を前記無効辺部分に導いて当該無効辺部分によっても前記レンズホルダをトラッキング方向に移動させる推力を発生させる補助ヨークが配置されていることを特徴とする光ヘッド装置。
【請求項２】
請求項１において、前記複数の駆動コイルには、前記第２の駆動マグネットによって前記レンズホルダの傾きを制御するチルト用駆動コイルが含まれていることを特徴とする光ヘッド装置。
【発明の詳細な説明】
【０００１】
【発明の属する技術分野】
本発明は、ＣＤやＤＶＤなどの光記録ディスクの再生等に用いられる光ヘッド装置に関するものである。さらに詳しくは、光ヘッド装置において、対物レンズを保持したレンズホルダを駆動する磁気駆動機構に関するものである。
【０００２】
【従来の技術】
ＣＤやＤＶＤなどの光記録ディスクの再生等に用いられる光ヘッド装置では、対物レンズを保持したレンズホルダをワイヤで支持し、トラッキング方向およびフォーカシング方向に駆動するワイヤサスペンション方式のものが知られている。このワイヤサスペンション方式の光ヘッド装置では、例えば、図４に示すように、対物レンズ４を保持しているレンズホルダ７１と、レンズホルダ７１をワイヤで支持しているホルダ支持部材７２と、レンズホルダ７１を矢印Ｔｒで示すトラッキング方向、図面に向かって垂直なフォーカシング方向Ｆｏ、および矢印Ｔｉで示すチルト方向に駆動するための磁気駆動機構９を有している。磁気駆動機構９は、レンズホルダ７１の側に、フォーカシング駆動コイル９１、トラッキング用駆動コイル９２、９３、９４、９５、およびチルト用駆動コイル１００、１０１を備えている一方、レンズホルダ支持部材７２の側には、トラッキング・フォーカシング用駆動マグネット９８、９９と、フォーカシング・チルト用駆動マグネット９６、９７とを備えている。
【０００３】
ここで、トラッキング・フォーカシング用駆動マグネット９８、９９は、トラッキング用駆動コイル９２、９３、９４、９５に部分的に対向しており、この対向している部分が有効辺部分９２ａ、９３ａ、９４ａ、９５ａとして、トラッキング方向Ｔｒにレンズホルダ７１を駆動する推力を発生させる。これに対して、トラッキング用駆動コイル９２、９３、９４、９５において有効辺部分９２ａ、９３ａ、９４ａ、９５ａと対向する辺部分は、無効辺部分９２ｂ、９３ｂ、９４ｂ、９５ｂであり、トラッキング方向Ｔｒへの駆動に寄与しない部分である。
【０００４】
【発明が解決しようとする課題】
光ヘッド装置では、対物レンズの駆動感度を向上することが求められており、特にトラッキング駆動における感度の向上が強く求められている。しかしながら、トラッキング用駆動コイル９２、９３、９４、９５の巻回数などを増大させようにもスペース的な制約があるため、これ以上の感度の向上が困難な状況にある。
【０００５】
以上の問題点に鑑みて、本発明の課題は、空いているスペースを有効に活用することにより、トラッキング方向の駆動感度を向上可能な光ヘッド装置を提案することにある。
【０００６】
【課題を解決するための手段】
上記の課題を解決するため、本発明は、光源からの出射光を光記録媒体に収束させる対物レンズを保持するレンズホルダと、該レンズホルダを少なくともトラッキング方向およびフォーカシング方向に移動可能に支持するホルダ支持部材と、前記レンズホルダの側に配置された複数の駆動コイルと、該駆動コイルに対向する位置に配置されて前記駆動コイルと複数の磁気駆動回路を構成する複数の駆動マグネットとを有する光ヘッド装置において、前記複数の駆動コイルには、少なくともトラッキング用駆動コイルが含まれ、前記複数の駆動マグネットには、前記トラッキング用駆動コイルに部分的に対向する第１の駆動マグネットと、該第１の駆動マグネットと異なる向きに配置されて前記トラッキング用駆動コイル以外の駆動コイルと対向する第２の駆動マグネットとが含まれ、前記トラッキング用駆動コイルの前記第１の駆動マグネットと対向しない無効辺部分に対向する位置には、前記第２の駆動マグネットからの磁束を前記無効辺部分に導いて当該無効辺部分によっても前記レンズホルダをトラッキング方向に移動させる推力を発生させる補助ヨークが配置されていることを特徴とする。
【０００７】
本発明では、トラッキング用駆動コイルの一部のみに第１の駆動マグネットが対向しているため、トラッキング用駆動コイルには、第１の駆動マグネットが対向しない無効辺部分が存在するが、この無効辺部分に対して、トラッキング用駆動コイル以外の駆動コイルと対向する第２の駆動マグネットからの磁束を導く補助ヨークが配置されている。このため、トラッキング用駆動コイルの無効辺部分によってもレンズホルダをトラッキング方向に移動させる推力を発生させることができるので、トラッキング方向の駆動感度を向上することができる。また、補助ヨークが配置される部分は、もともと、駆動コイルや駆動マグネットが配置されていないスペースであり、この空いているスペースを有効に活用する構成であるため、光ヘッド装置のサイズなどについては従来のままでよい。
【０００８】
本発明において、前記複数の駆動コイルには、例えば、前記第２の駆動マグネットによって前記レンズホルダの傾きを制御するチルト用駆動コイルが含まれている。
【０００９】
【発明の実施の形態】
以下に、図面を参照して、本発明を適用した光ヘッド装置の一例を説明する。
【００１０】
（全体構成）
図１は本例の光ヘッド装置の光学系を中心に示す概略構成図である。この図に示すように、光ヘッド装置１は、ＣＤあるいはＤＶＤなどの光記録ディスク５（光記録媒体）に対する情報記録、情報再生を行うものであり、レーザ光源２
からの出射されたレーザ光が、ハーフミラー３で反射し、対物レンズ４で集光されて光記録ディスク５の情報記録面に焦点を結ぶように構成されている。対物レンズ４はワイヤサスペンション方式の対物レンズ駆動機構７によってトラッキング方向およびフォーカシング方向の位置がサーボ制御される。
【００１１】
光記録ディスク５で反射した戻り光は、対物レンズ４およびハーフミラー３を通過して光検知器６に入射する。駆動制御装置８は、光検出器６での受光量に基づき、情報再生処理を行なうと共に、対物レンズ駆動機構７を駆動制御して対物レンズ４のトラッキング方向およびフォーカシング方向の位置をサーボ制御する。また、レーザ光源２を駆動制御も行なう。
【００１２】
（対物レンズ駆動機構）
図２は、対物レンズ駆動機構を示す斜視図である。図３は、対物レンズ駆動機構における磁気駆動機構を示す説明図である。
【００１３】
図２および図３に示すように、対物レンズ駆動機構７は、対物レンズ４を保持しているレンズホルダ７１と、レンズホルダ７１をワイヤ７０で支持しているホルダ支持部材７２と、レンズホルダ７１を矢印Ｔｒで示すトラッキング方向、矢印Ｆｏで示すフォーカシング方向、および矢印Ｔｉで示すチルト方向に駆動するための磁気駆動機構９を有している。
【００１４】
磁気駆動機構９は、レンズホルダ７１の側に、このレンズホルダ７１の胴部に巻きつけられたフォーカシング駆動コイル９１と、フォーカシング駆動コイル９１の外側に貼り付けられた平面コイルからなるトラッキング用駆動コイル９２、９３、９４、９５と、一対のチルト用駆動コイル１００、１０１とを備えている一方、ホルダ支持部材７２の側には、フォーカシング駆動コイル９１、およびトラッキング用駆動コイル９２、９３、９４、９５に対向する一対のトラッキング・フォーカシング用駆動マグネット９８、９９（第１の駆動マグネット）と、フォーカシング駆動コイル９１、およびチルト用駆動コイル１００、１０１に対向するフォーカシング・チルト用駆動マグネット９６、９７（第２の駆動マグネット）とを備えている。
【００１５】
ここで、トラッキング・フォーカシング用駆動マグネット９８、９９、およびフォーカシング・チルト用駆動マグネット９６、９７は、同極をレンズホルダ７１の方（内側）に向けている。
【００１６】
フォーカシング・チルト用駆動マグネット９６、９７は、レンズホルダ７１に対してトラッキング方向Ｔｒにおける外側でレンズホルダ支持部材７２の底板から立ち上げられた外ヨーク７２１、７２２の内側の面に取り付けらている。
【００１７】
また、レンズホルダ支持部材７２には、外ヨーク７２１、７２４の内側の面に対向する位置に内ヨーク７２３、７２４が立ち上げられ、これらの内ヨーク７２３、７２４は、チルト用駆動コイル１００、１０１の内側に位置している。
【００１８】
トラッキング・フォーカシング用駆動マグネット９８、９９は、フォーカシング・チルト用駆動マグネット９６、９７（外ヨーク７２１、７２２）に対して直交する向きにレンズホルダ支持部材７２の底板から立ち上げられた外ヨーク７２５、７２６の内側の面に取り付けらている。また、レンズホルダ支持部材７２には、外ヨーク７２５、７２６の内側の面に対向する位置に内ヨーク７２７、７２８が立ち上げられ、これらの内ヨーク７２７、７２８は、レンズホルダ７１の内側に位置している。
【００１９】
このように構成した対物レンズ駆動機構７において、フォーカシング用駆動コイル９１は、フォーカシング・チルト用駆動マグネット９６、９７と、トラッキング・フォーカシング用駆動マグネット９８、９９とに対向しており、フォーカシング用駆動コイル９１に電流を流すことにより、レンズホルダ７１をフォーカシング方向Ｆｏに駆動することができる。
【００２０】
チルト用駆動コイル１００、１０１は、フォーカシング・チルト用駆動マグネット９６、９７に対向しており、チルト用駆動コイル１００、１０１に電流を流すことにより、レンズホルダ７１をチルト方向Ｔｉに駆動することができる。
【００２１】
トラッキング用駆動コイル９２、９３、９４、９５は、その一部が有効辺部分９２ａ、９３ａ、９４ａ、９５ａとしてトラッキング・フォーカシング用駆動マグネット９８、９９に対向しており、トラッキング用駆動コイル９２、９３、９４、９５に電流を流すことにより、トラッキング方向Ｔｒにレンズホルダ７１を駆動することができる。
【００２２】
トラッキング用駆動コイル９２、９３、９４、９５における有効辺部分９２ａ、９３ａ、９４ａ、９５ａと対向する辺部分は、無効辺部分９２ｂ、９３ｂ、９４ｂ、９５ｂであり、トラッキング・フォーカシング用駆動マグネット９８、９９に対向しておらず、かつ、無効辺部分９２ｂ、９３ｂ、９４ｂ、９５ｂに流れる電流の向きは、常に、有効辺部分９２ａ、９３ａ、９４ａ、９５ａに流れる電流の向きと反対である。
【００２３】
本形態では、トラッキング・フォーカシング用駆動マグネット９８、９９の両側位置、すなわち、トラッキング用駆動コイル９２、９３、９４、９５の無効辺部分９２ｂ、９３ｂ、９４ｂ、９５ｂに対向する位置に補助ヨーク７４、７５、７６、７７が配置され、その近傍には、トラッキング・フォーカシング用駆動マグネット９８、９９と直交する向きに配置されたフォーカシング・チルト用駆動マグネット９６、９７の端部が位置している。しかも、本形態では、トラッキング・フォーカシング用駆動マグネット９８、９９、およびフォーカシング・チルト用駆動マグネット９６、９７は、同じＮ磁極をレンズホルダ７１に向けている。
【００２４】
このため、補助ヨーク７４、７５、７６、７７には、フォーカシング・チルト用駆動マグネット９６、９７の側から磁束が導かれる。また、トラッキング・フォーカシング用駆動マグネット９８、９９の一部の磁束も導かれる。しかも、これらの磁束によって形成される磁場は、トラッキング用駆動コイル９２、９３、９４、９５における有効辺９２ａ、９３ａ、９４ａ、９５ａが配置される磁場と逆方向である。このため、無効辺部分９２ｂ、９３ｂ、９４ｂ、９５ｂには、有効辺９２ａ、９３ａ、９４ａ、９５ａと同様にトラッキング方向の電磁力が発生する。
【００２５】
従って、トラッキング用駆動コイル９２、９３、９４、９５に通電したとき、無効辺部分９２ｂ、９３ｂ、９４ｂ、９５ｂにも有効辺部分９２ａ、９３ａ、９４ａ、９５ａと同じ向きの電磁力が発生し、レンズホルダ７１には、有効辺部分９２ａ、９３ａ、９４ａ、９５ａによるトラッキング方向Ｔｒの推力と、無効辺部分９２ｂ、９３ｂ、９４ｂ、９５ｂによるトラッキング方向Ｔｒの推力とが加わることになる。それ故、本形態によれば、レンズホルダ７１では、トラッキング方向Ｔｒへの駆動感度が高い。
【００２６】
しかも、補助ヨーク７４、７５、７６、７７が配置されている領域は、従来、トラッキング・フォーカシング用駆動マグネット９８、９９、およびフォーカシング・チルト用駆動マグネット９６、９７のいずれもが配置されていないデッドスペースである。それ故、無効辺部分９２ｂ、９３ｂ、９４ｂ、９５ｂを有効活用するための補助ヨーク７４、７５、７６、７７を追加しても、光ヘッド装置１において大幅な設計変更を行う必要がないという利点がある。トラッキング・フォーカシング用駆動マグネット９８、９９、およびフォーカシング・チルト用駆動マグネット９６、９７は、同じＳ磁極をレンズホルダ７１に向けても良い。
【００２７】
（その他の実施の形態）
なお、上記形態では、トラッキング用駆動コイル９２、９３、９４、９５に対向する第１の駆動マグネットがトラッキング・フォーカシング用駆動マグネット９８、９９であり、トラッキング用駆動コイル９２、９３、９４、９５と対向しない第２の駆動マグネットがフォーカシング・チルト用駆動マグネット９６、９７の例であったが、トラッキング用とフォーカシング用とが別々の駆動マグネットで構成されている場合など、各種の磁気駆動回路を備えた光ヘッド装置にも本発明を適用することができる。
【００２８】
【発明の効果】
以上説明したように、本発明の光ヘッド装置では、トラッキング用駆動コイルの一部のみに第１の駆動マグネットが対向しているため、トラッキング用駆動コイルには、第１の駆動マグネットが対向しない無効辺部分が存在するが、この無効辺部分に対して、トラッキング用駆動コイル以外の駆動コイルと対向する第２の駆動マグネットからの磁束を導く補助ヨークが配置されている。このため、トラッキング用駆動コイルの無効辺部分によってもレンズホルダをトラッキング方向に移動させる推力を発生させることができるので、トラッキング方向の駆動感度を向上することができる。また、補助ヨークが配置される部分は、もともと、駆動コイルや駆動マグネットが配置されていないデッドスペースであり、本形態では、このデッドスペースに補助ヨークを配置する構成であるため、光ヘッド装置において大幅な設計変更が必要ないという利点がある。
【図面の簡単な説明】
【図１】本発明を適用した光ヘッド装置の概略構成図である。
【図２】図１に示す光ヘッド装置における対物レンズ駆動機構を示す斜視図である。
【図３】図２に示す対物レンズ駆動機構における磁気駆動機構を示す説明図である。
【図４】従来の光ヘッド装置における対物レンズ駆動機構の磁気駆動機構を示す説明図である。
【符号の説明】
１  光ヘッド装置
２  レーザ光源
３  ハーフミラー
４  対物レンズ
５  光記録ディスク（光記録媒体）
６  光検知器
７  対物レンズ駆動機構
８  駆動制御装置
９  磁気駆動機構
７１  レンズホルダ
７２  レンズホルダ支持部材
７４、７５、７６、７７  補助ヨーク
９１  フォーカシング駆動コイル
９２、９３、９４、９５  トラッキング用駆動コイル
９６、９７  フォーカシング・チルト用駆動マグネット（第２の駆動マグネット）
９８、９９  トラッキング・フォーカシング用駆動マグネット(第１の駆動マグネット)
９２ａ、９３ａ、９４ａ、９５ａ  有効辺部分
９２ｂ、９３ｂ、９４ｂ、９５ｂ  無効辺部分
１００、１０１  チルト用駆動コイル
【図１】
2004199776.tif 000003
【図２】
2004199776.tif 000004
【図３】
2004199776.tif 000005
【図４】
2004199776.tif 000006